(57)【特許請求の範囲】
【請求項１】
１本の支柱の上部分に固定される連結部材の基部に保持部材が設けられており、該保持部材は、横方向に延長する横連結杆の長さ方向の所要部分としての被保持部を保持できるものであり、該保持部材は、上側が開放し且つ両端が開放した保持溝を有するＣ字状保持部を具え、該保持溝に着脱可能に収容された該被保持部が該Ｃ字状保持部に弾性挾持状態で保持されるようになされており、前記連結部材は、前記基部の所要側部で下方向（縦方向）に突設されて前記支柱の一側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とする植物栽培用の機能性支柱構成用の機能性キャップ具。
【請求項２】
１本の支柱の上部分に固定される連結部材の基部に保持部材が設けられており、該保持部材は、横方向に延長する横連結杆の長さ方向の所要部分としての被保持部を保持できるものであり、該保持部材は、上側が開放し且つ両端が開放した保持溝を有するＣ字状保持部を具え、該保持溝に着脱可能に収容された該被保持部が該Ｃ字状保持部に弾性挾持状態で保持されるようになされており、
前記連結部材は、前記基部の所要側部で下方向（縦方向）に突設されて前記支柱の一側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記上の保持片と前記下方突出支持片の上側部分とで、前記上部分の、前記一方の縁部側の部分を弾性的に挾持し得る断面Ｃ字状の筒状挾持部が形成され、該筒状挾持部は、前記他方の縁部側の周面部が該筒状挾持部の軸線方向に開口し且つ開口部が弾性的に拡開し得る筒状を呈しており、且つ、前記下の保持片は、前記上部分の、前記他方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の下側部分が前記下の保持片に支持された状態となって、該上部分の上側部分が前記開口部を通して該筒状挾持部内に嵌め入れられる如くなされ、且つ、前記連結部材の前記基部の下面側が、前記支柱の上端に当接し得ることを特徴とする植物栽培用の機能性支柱構成用の機能性キャップ具。
【請求項３】
前記保持部材は、前記支柱が立設された状態で見て、垂直面内で傾動可能であることを特徴とする請求項１又は２記載の植物栽培用の機能性支柱構成用の機能性キャップ具。
【請求項４】
前記連結部材の前記基部に、上方突出の第１のジョイント部が設けられると共に、前記保持部材には、該第１のジョイント部と重なる、下方突出の第２のジョイント部が設けられており、該第２のジョイント部が、前記支柱が立設された状態で見て、該第１のジョイント部に対して垂直面内で傾動可能となされていることを特徴とする請求項１又は２記載の植物栽培用の機能性支柱構成用の機能性キャップ具。
【請求項５】
前記連結部材の前記基部に、上方突出の第１のジョイント部が設けられると共に、前記保持部材には、該第１のジョイント部と重なる、下方突出の第２のジョイント部が設けられており、該第２のジョイント部が、前記支柱が立設された状態で見て、該第１のジョイント部に対して垂直面内で傾動可能となされており、前記保持溝が上側に開放した状態で、前記第１のジョイント部と前記第２のジョイント部の対向側に設けられた第１の係合部と第２の係合部との凹凸嵌合による係合作用によってロック状態とされる如くなされ、該ロック状態が解除されることにより前記第２のジョイント部が前記第１のジョイント部に対して傾動可能となされていることを特徴とする請求請１又は２記載の植物栽培用の機能性支柱構成用の機能性キャップ具。
【請求項６】
前記基部の、前記所要側部と対向する側部に、前記支柱の上端部分を支持する受部が設けられていることを特徴とする請求項１〜５の何れかに記載の植物栽培用の機能性支柱構成用の機能性キャップ具。
【請求項７】
植物栽培用のネット材を掛着させるためのフック状掛着片が、前記基部又は前記下方突出支持片に設けられていることを特徴とする請求項１〜６の何れかに記載の植物栽培用の機能性支柱構成用の機能性キャップ具。
【請求項８】
植物栽培用のネット材を掛着させるためのフック状掛着片が前記受部に設けられていることを特徴とする請求項６記載の植物栽培用の機能性支柱構成用の機能性キャップ具。
【発明の詳細な説明】
【技術分野】
【０００１】
本発明は、胡瓜やゴーヤ、豆類、朝顔等の植物を栽培するために好適に用いることのできる植物栽培用の機能性支柱構成用の機能性キャップ具に関するものである。
【背景技術】
【０００２】
本出願人は特許文献１において、胡瓜やゴーヤ、豆類、朝顔等の植物の栽培に用いて好適な支柱枠体ａを構成する植物栽培用の開閉式支柱ｂを提案した。
【０００３】
該開閉式支柱ｂは、図３０〜３１に示すように、左右一対の支柱ｃ，ｃの上部分ｄ，ｄ相互が連結具ｅを介して開閉可能に連結されていた。該連結具ｅは図３０〜３１に示すように、前記上部分ｄ，ｄに夫々固定される連結部材ｆ，ｆ相互が、一対の支柱ｃ，ｃが開閉可能となるように連結されると共に、該支柱ｃ，ｃの開閉方向と直交する前後方向に延長する横連結杆ｇの長さ方向の所要部分としての被保持部ｈを保持する保持部材ｊが、前記連結部材ｆ，ｆの双方に連なる如く、且つ、該一対の連結部材ｆ，ｆの連結部ｋの上側に存するように設けられていた。そして該保持部材ｊは、上側が開放し且つ両端が開放した保持溝ｍを有するＣ字状保持部ｎを具え、該保持溝ｍに前記被保持部ｈが着脱可能に収容され、収容された該被保持部ｈが該Ｃ字状保持部ｎに弾性挾持状態で保持されるように構成されていた。そして前記連結部材ｆ，ｆの好ましい態様としては、前記支柱ｃの上部分ｄを密接状態に挿入させ得る、下端開放で且つ上端が閉塞された筒部（例えば円筒部）ｐを具えていた。
【０００４】
かかる構成を有する開閉式支柱ｂの複数本を用いて、例えば胡瓜を栽培するための支柱枠体ａを構成するに際しては、例えば図３２、図３０に示すように、両支柱ｃ，ｃを最大に開いた開閉式支柱ｂを、畝幅が７０ｃｍ程度の畝ｑの長さ方向に７０〜９０ｃｍ程度の間隔で配設することとし、該開閉式支柱ｂを最大開き状態にして両支柱ｃ，ｃの下端側の部分ｒ，ｒを地面ｓに突き刺して立設状態としていた。その後、図３１に矢印で示すように、前記横連結杆ｇの被保持部ｈを前記保持溝ｍに上端開放部を通して押し込むことにより、該横連結杆ｇの被保持部ｈが弾性的に挾持された状態となり、これによって図３２に示す支柱枠体ａを構成するのであった。
【０００５】
このようにして構成された支柱枠体ａの、一方の支柱ｃ１による支柱並列部及び、他方の支柱ｃ２による支柱並列部の夫々の傾斜外面を、ネット材ｕで覆うことにより、傾斜ネット面を具える例えば胡瓜棚ｗ，ｗを形成し、該胡瓜棚ｗ，ｗで胡瓜を栽培することとしていた。かかる構成を有する従来の開閉式支柱ｂによるときは、胡瓜等の蔓性植物の栽培を安定状態で行なうことのできる支柱枠体を簡易に構成できる利点があった。
【０００６】
しかしながら、かかる支柱枠体ａを構成するために、開閉式支柱ｂを所要の開き状態にして両支柱ｃ，ｃの下端側の部分ｒ，ｒを地面ｓに押し込むことにより三角形状の枠部を形成していたため、開閉式支柱ｂを開いた状態で立設できるだけの広いスペース（畑）を必要とした。従って、従来の開閉式支柱ｂによっては、畑としては利用しにくい小規模の空きスペースで胡瓜等の蔓性植物の栽培を行なうということが難しかった。
【０００７】
又、従来の開閉式支柱ｂは２本の支柱ｃ，ｃを用いて構成されていたため、部品点数が多くなって材料費が高く付く等、製造コストの上昇を招く問題があった他、両支柱を閉じた状態で嵩張るために、保管の際や店舗における展示の際等においてスペースをとる問題もあった。
【０００８】
又、開閉式支柱ｂを三角形状に開いて地面に立設して支柱枠体ａを構成することから、支柱枠体ａの形態が特定されてしまい、植物を各種の栽培形態で栽培しようとしても支柱枠体を変化させるということができなかった。
【０００９】
又、前記開閉式支柱ｂを構成する前記従来の支柱相互の連結具ｅは、図３０〜３１に示すように、左右の連結部材ｆ，ｆが、下端開放の筒部ｐを具え該筒部ｐの挿入孔部ｙに前記支柱ｃの上部分ｄを密接状態に挿入させる構成を採用していたため、該上部分ｄの外径が該挿入孔部ｙの内径に合致する円形軸状に構成されていなければ、該上部分ｄを該挿入孔部ｙに挿入することができず、従って、前記開閉式支柱ｂを構成することができなかった。勿論、かかる開閉式支柱を製造するメーカにあっては、組立てに支障のない連結部材と支柱とを設計製作するために何ら問題は生じなかった。しかしながら、家庭菜園を楽しむ人達にとっては、前記連結具ｅを購入して、これに手持ちの支柱を連結して開閉式支柱を組み立てんとする場合に次のような問題点があった。
【００１０】
即ち、例えば図３３（Ａ）に示すように、該支柱ｃの上部分ｄにキャップａ１が取り付けられていたり、図３３（Ｂ）に示すように、該支柱ｃの外周面ｂ１に、その長さ方向に突部ｄ１を不連続状態に連ねた不連続突部列ｅ１が設けられていたり、或いは図３３（Ｃ）に示すように、該支柱ｃの外周面ｂ１にその長さ方向に所要間隔で節部ｆ１が設けられていて該節部ｆ１が支柱ｃの上部分ｄにも存する場合等、前記挿入孔部ｙに挿入させるべき上部分ｄが外面平滑の所要径に正しく形成されていない場合は該上部分ｄを該挿入孔部ｙに挿入させることができず、従って、所望の開閉式支柱を構成できない問題があった。そのため結局、前記筒部ｐの挿入孔部ｙに上部分を挿入させることができる所要の支柱を購入しなければならない不経済があったり、所要に組み立てられた開閉式支柱を購入せざるを得ない等、手持ちの支柱を有効活用できない不経済があった。
【先行技術文献】
【特許文献】
【００１１】
【特許文献１】特開２００７−１６６９４９号公報
【発明の概要】
【発明が解決しようとする課題】
【００１２】
本発明は、前記従来の問題点に鑑みて開発されたものであり、畑として利用しにくい小規模な空きスペースであっても、これを有効活用して蔓性植物等の植物を栽培できる機能性支柱を構成するために用いることができる植物栽培用の機能性支柱構成用の機能性キャップ具の提供を課題とするものである。
【００１３】
又、手持ちの支柱を有効活用して該機能性支柱を安価に構成できる経済性を有し、又、このように構成した開閉式支柱の使用時期が終わった後は、連結具から支柱を取り外すことによって該支柱を他の目的に有効活用可能とする植物栽培用の機能性支柱構成用の機能性キャップ具の提供を課題とするものである。
【課題を解決するための手段】
【００１４】
前記課題を解決するため本発明は以下の手段を採用する。
即ち、本発明に係る植物栽培用の機能性支柱構成用の機能性キャップ具（以下機能性キャップ具という）は、１本の支柱の上部分に固定される連結部材の基部に保持部材が設けられており、該保持部材は、横方向に延長する横連結杆の長さ方向の所要部分としての被保持部を保持できるものであり、該保持部材は、上側が開放し且つ両端が開放した保持溝を有するＣ字状保持部を具え、該保持溝に着脱可能に収容された該被保持部が該Ｃ字状保持部に弾性挾持状態で保持されるようになされている。そして前記連結部材は、前記基部の所要側部で下方向（縦方向）に突設されて前記支柱の一側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定されている。そして、前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とするものである。
【００１５】
前記態様において、前記とは逆に、前記上の保持片と前記下方突出支持片の上側部分とで、前記上部分の、前記一方の縁部側の部分を弾性的に挾持し得る断面Ｃ字状の筒状挾持部を形成し、前記下の保持片が、前記上部分の、前記他方の縁部側の部分を支持する如く構成することもある。
【００１６】
前記の各機能性キャップ具において、前記基部の、前記所要側部と対向する側部に、前記支柱の上端部分を支持する受部を設けるのがよい。
【００１７】
又、前記の各機能性キャップ具において、植物栽培用のネット材を掛着させるためのフック状掛着片を、前記基部又は前記下方突出支持片に設けるのがよい。
【００１８】
前記の各機能性キャップ具が前記受部を具える場合、植物栽培用のネット材を掛着させるためのフック状掛着片を前記受部に設けることもできる。
【００１９】
前記の各態様において、前記保持部材は、前記支柱が立設された状態で見て、垂直面内で傾動可能となすのがよい。そのための具体的な構成としては、下記構成の機能性キャップ具を挙げることができる。
【００２０】
即ち、該機能性キャップ具は、前記連結部材の前記基部に、上方突出の第１のジョイント部が設けられると共に、前記保持部材には、該第１のジョイント部と重なる、下方突出の第２のジョイント部が設けられており、該第２のジョイント部が、前記支柱が立設された状態で見て、該第１のジョイント部に対して垂直面内で傾動可能となされていることを特徴とするものである。
【００２１】
該機能性キャップ具は、より好ましくは、前記連結部材の前記基部に、上方突出の第１のジョイント部が設けられると共に、前記保持部材には、該第１のジョイント部と重なる、下方突出の第２のジョイント部が設けられており、該第２のジョイント部が、前記支柱が立設された状態で見て、該第１のジョイント部に対して垂直面内で傾動可能となされており、前記保持溝が上側に開放した状態で、前記第１のジョイント部と前記第２のジョイント部の対向側に設けられた第１の係合部と第２の係合部との凹凸嵌合による係合作用によってロック状態とされる如くなされ、該ロック状態が解除されることにより前記第２のジョイント部が前記第１のジョイント部に対して傾動可能となすのがよい。
【００２２】
前記各植物栽培用の機能性支柱構成用の機能性キャップ具において、前記基部の、前記所要側部と対向する側部に、前記支柱の上端部分を支持する受部を設けるのがよい。
【００２３】
又、前記各植物栽培用の機能性支柱構成用の機能性キャップ具において、植物栽培用のネット材を掛着させるためのフック状掛着片を、前記基部又は前記下方突出支持片に設けるのがよい。
【００２４】
前記植物栽培用の機能性支柱構成用の機能性キャップ具が前記受部を具える場合、植物栽培用のネット材を掛着させるためのフック状掛着片を、前記受部に設けることもできる。
【発明の効果】
【００２５】
本発明は以下の如き優れた効果を奏する。
(1) 本発明に係る機能性キャップ具は前記構成を有するため、該機能性キャップ具を支柱の上部分に固定してなる植物栽培用の機能性支柱によるときは、従来の開閉式支柱とは異なり、支柱を立設した状態におけるスペース削減が可能となる。これによって、畑の際等の狭いスペースを有効活用して、胡瓜やゴーヤ、豆類、朝顔等の植物を効果的に栽培できることになる。
【００２６】
(2) 前記保持部材を傾動可能とすることにより、複数本の機能性支柱を地面に立設して後、隣り合う支柱相互を横連結杆で連結する際、該横連結杆を、水平状態に配置できることの他傾斜状態で配置することもできる。かかることから、段差のある支柱枠体を構成することも容易となり、所望の植物栽培に合わせて支柱枠体を各種に構成できることとなる。
【００２７】
(3) 本発明に係る機能性キャップ具は、手持ちの支柱を有効活用して所望の開閉式支柱を安価に構成できる経済性を有する。又、このように構成した機能性支柱の使用時期が終わった後は、該機能性キャップ具から支柱を取り外すことによって該支柱を他の目的に有効活用できる。
【図面の簡単な説明】
【００２８】
【図１】本発明に係る機能性キャップ具を用いて構成された機能性支柱を示す部分斜視図と部分正面図である。
【図２】機能性キャップ具を示す斜視図である。
【図３】機能性キャップ具を用いて構成された機能性支柱を示す部分断面図である。
【図４】機能性キャップ具を示す分解斜視図である。
【図５】連結部材に保持部材を取り付ける要領を説明する説明図である。
【図６】保持部材の傾動作用を示す説明図である。
【図７】支柱を示す部分斜視図である。
【図８】上の保持片の構成をその作用と共に示す断面図である。
【図９】下の保持片の構成をその作用と共に示す断面図である。
【図１０】機能性キャップ具を構成する連結部材に支柱の上部分を連結する要領を説明する説明図である。
【図１１】その斜視図である。
【図１２】連結部材に支柱を連結した状態を、上端キャップが、基部と上の保持片間の間隙に位置した状態で示す正面図である。
【図１３】基部の下面側が支柱の上端に当接した状態を示す正面図である。
【図１４】機能性支柱を用いて構成された胡瓜棚を示す斜視図である。
【図１５】その上側部分を示す斜視図と、保持部材に横連結杆の被保持部を嵌め入れる工程を示す説明図である。
【図１６】機能性支柱を用いて構成された胡瓜棚の他の態様を示す斜視図である。
【図１７】その部分拡大図である。
【図１８】本発明に係る機能性キャップ具の他の態様のものを用いて構成された機能性支柱を示す斜視図である。
【図１９】保持部材の傾動の他の態様を示す斜視図である。
【図２０】本発明に係る機能性キャップ具のその他の態様のものを用いて構成された機能性支柱を示す斜視図である。
【図２１】節部を具える支柱を機能性キャップ具に取り付けて構成した機能性支柱を示す斜視図である。
【図２２】連結部材に固定された支柱の上端部分を支持する受部が基部に設けられてなる機能性キャップ具を用いて構成された機能性支柱の上側部分を示す正面図と、該連結具の上側部分を示す斜視図である。
【図２３】フック状掛着片を上の保持片に設けた場合の問題点を説明する斜視図である。
【図２４】フック状掛着片を下方突出支持片の外面に設けた場合を示す斜視図である。
【図２５】フック状掛着片が下方突出支持片の外面に設けられてなる連結具を用いて構成された機能性支柱の上端側を示す側面図である。
【図２６】その機能性支柱を用いて構成された植物栽培棚を示す部分斜視図である。
【図２７】フック状掛着片が下方突出支持片の前後の縁部に設けられてなる連結具を示す斜視図である。
【図２８】その連結具を用いて構成された機能性支柱を用いてなる植物栽培棚を示す部分斜視図である。
【図２９】フック状掛着片を受部に設けてなる連結具のその他の実施例を示す斜視図である。
【図３０】従来の開閉式支柱をその使用状態で示す部分斜視図である。
【図３１】従来の開閉式支柱の上側部分を示す正面図である。
【図３２】従来の開閉式支柱をその使用状態で示す全体斜視図である。
【図３３】従来の開閉式支柱で使用できない支柱の一例を示す斜視図である。
【発明を実施するための形態】
【実施例１】
【００２９】
図１〜４において本発明に係る機能性キャップ具１は、１本の支柱２の上部分３に固定されることによって機能性支柱４を構成するものである。該機能性キャップ具１は、連結部材５の基部６に保持部材７が設けられており、該保持部材７は、横方向に延長する横連結杆９の長さ方向の所要部分としての被保持部１０を着脱可能の弾性挾持状態で保持できる。該保持部材７は、本実施例においては図１（Ｂ）に矢印で示すように、前記支柱２が立設された状態で見て、水平な枢軸１１の軸線回りに垂直面内で傾動可能であり、図１〜４に示すように、上側が開放し且つ両端（本実施例においては左右方向Ｆ１の両端）１２，１２が開放した保持溝１３を有するＣ字状保持部１５を具える。そして図３に示すように、該保持溝１３に前記被保持部１０が着脱可能に収容され、収容された該被保持部１０が該Ｃ字状保持部１５に弾性挾持状態で保持されるようになされている。
【００３０】
前記支柱２は、本実施例においては図７に示すように、鋼製の直線状丸パイプ本体１６の表面に樹脂被覆が施されてなり、外径が約１６ｍｍで全長が１８０ｃｍ程度に形成されると共に、該樹脂被覆部１７の外周面１９の上下端側の部分２０，２１を除く中間部分２２には、該外周面１９の長さ方向に突部２３を不連続状態に連ねた不連続突部列２５の例えば４列が、該外周面１９の周方向に９０度の角度ピッチで設けられている。該不連続突部列２５は、支柱２に対する蔓の巻き付きを容易化するため等のものである。又、該支柱２の上部分３は、支柱２の上端部分２６に上端キャップ２７が取り付けられて構成されている。該上端キャップ２７は、図７（Ｃ）に示すように、下端開放の挿入孔部２８を有し、上方に向けて稍細くなり、且つ上端部に十字状の溝２９が設けられている。その外径は支柱２の外径よりも大きく、該挿入孔部２８に前記上端部分２６が挿入される。又、該支柱２の下端部分３０には、下方に向けて細くなる円錐状の下端キャップ３１が取り付けられている。なお説明の便宜上、図１０〜１８、図２２においては、前記不連続突部列２５の図示を省略している。
【００３１】
次に、前記連結部材５と前記保持部材７の構成をより具体的に説明すると共に、該連結部材５に対する該保持部材１０の傾動可能の連結構成を説明する。
【００３２】
前記連結部材５は、図２、図８〜９に示すように、例えば平板状を呈する前記基部６の所要側部３２で、下方向（縦方向）に突設されて前記支柱２の一側部分３３（図８〜９）を支持する下方突出支持片３５を具えている。該下方突出支持片３５の前後の縁部３６，３７の何れか一方の縁部（例えば前の縁部）３６に関し、その上側部分に位置させて上の保持片３９が設けられると共に、その他方の縁部（後の縁部）３７に関し、その下側部分に位置させて下の保持片４０が設けられ、該上下の保持片３９，４０間に所要間隙４１が設けられている。該間隙４１の大きさは、図１０に一点鎖線で示すように、前記上部分３を、該間隙４１に、該上の保持片３９が設けられている前の縁部３６側から該下の保持片４０が設けられている後の縁部３７側に向けて横方向に挿通させ得るように設定されている。
【００３３】
そして本実施例においては図１２に示すように、前記基部６と該上の保持片３９との間に、前記上端キャップ２７の上下長さＬよりも若干大なる間隙４２が設けられている。
【００３４】
前記下の保持片４０は、本実施例においては図１、図２、図９に示すように、断面Ｕ字状を呈しており、該下の保持片４０と前記下方突出支持片３５の下側部分４３とで、前記上部分３の、前記他方の縁部３７側の部分４５（図９）を弾性的に挾持し得る断面Ｃ字状の筒状挾持部４６が形成され、該筒状挾持部４６は、前記前の縁部３６が存する側の周面部４８が該筒状挾持部４６の軸線方向に開口し且つ開口部４７が弾性的に拡開し得る筒状を呈している。該開口部４７は、図２（Ｂ）に示すように、その下側開口部分４９は略等幅であるが、その上側開口部分５０は、上端に向けて徐々に拡大している。本実施例においては図２に示すように、該筒状挾持部４６の外周面３４の上下に、周方向に補強リブ３８，３８が設けられ、該上下の補強リブ３８，３８間の部分４４が比較的薄肉に形成されているが、これは、該筒状挾持部４６の強度を所要に確保しながら、該開口部４７の弾性拡開を容易化するためである。
【００３５】
そして前記上の保持片３９は、本実施例においては図２、図８に示すように、断面Ｕ字状を呈しており、前記上部分３の、前記一方の縁部３６側の部分５１を支持する如くなされている。本実施例においては図１〜２、図１５（Ｂ）に示すように、前記Ｕ字状に屈曲する上の保持片３９の先端側の外面５２に、後述するネット材５３の上端縁部５５を掛着させるフック状掛着片５６が設けられている。
【００３６】
又、前記連結部材５は、本実施例においては、ポリエチレン等の合成樹脂を以て一体に形成されており、図２〜４に示すように、前記基部６の上面側５７に、上方突出の第１のジョイント部５９が設けられている。該第１のジョイント部５９は本実施例においては図２〜４に示すように、該上面側５７の前後方向Ｆ２の両側において、板状の上向きのジョイント突片６０，６０が対向状態で突設されてなる。そして、該両上向きのジョイント突片６０，６０の上側は円弧板部６１，６１に形成されており、その中央部には、左右方向に貫通する円形の枢着孔６２，６２が同心に設けられている。又、該両上向きのジョイント突片６０，６０の対向する内面６３，６３の上側部分の幅方向中央部位には、図４（Ｂ）に示すように、前記枢着孔６２，６２の内端６５，６５から上方に向け外方に傾斜する傾斜ガイド面６６，６６を有する傾斜ガイド溝部６７，６７が左右対向状態で設けられている。又、該枢着孔６２，６２の内端６５，６５の下縁部に、下方向に延長する垂直ガイド面６９，６９を有する、第１の係合部７０，７０としての垂直ガイド溝部７１，７１が左右対向状態で設けられている。
【００３７】
前記保持部材７は本実施例においては図２〜４に示すように、前記支柱２の軸線と直交する方向に延長する前記横連結杆９の長さ方向の所要部分としての前記被保持部１０を着脱可能の弾性挾持状態で保持できる前記Ｃ字状保持部１５と、前記第１のジョイント部５９と重なる、下方突出の第２のジョイント部７２を具えている。該Ｃ字状保持部１５は、本実施例においては、上側が開放し且つ左右方向の両端１２，１２が開放すると共に導入開口部７３が窄まったＣ字状の前記保持溝１３が設けられている。
【００３８】
該Ｃ字状保持部１５は、より具体的には、図３〜４に示すように、底部７４の両側（前後方向で見た両側）で前後の保持片部７５，７５が上方に向けて対向状態で突設されたＣ字状本体７６を有しており、両保持片部７５，７５の円弧状内面７７，７７と前記底部７４の円弧状上面７９とによって、導入開口部７３が窄まった前記保持溝１３が設けられている。該保持溝１３の直径は例えば１６ｍｍ程度に設定されると共に、該導入開口部７３の開口幅は例えば１４ｍｍ程度に設定されている。又、前記横連結杆９の長さは９０〜２１０ｃｍに、外径は例えば１６ｍｍ程度に設定されている。然して、図３に示すように、該横連結杆９の前記被保持部１０を該保持溝１３に嵌入させた状態で、該被保持部１０は着脱可能の弾性挾持状態で保持され、該保持された状態にある被保持部１０は、窄まった状態の前記導入開口部７３に規制されて保持溝１３から脱落することがない。
【００３９】
本実施例においては図３〜４に示すように、前記保持溝１３に収容された状態にある被保持部１０をより脱落しにくくするために、前記Ｃ字状本体７６の上端に、前記保持溝１３の対向する上端縁８０，８０で上方向に連設された上下方向の面８１，８１を有する垂直状片８２，８２が突設されている。又、前記被保持部１０を前記保持溝１３に容易に嵌入させることができるように、該垂直状片８２，８２の上端に、前記上下方向の面８１，８１の上端縁８３，８３で外方に向けて斜め上方に連設された傾斜案内面８５，８５を有する案内片８６，８６が突設されている。又、本実施例においては図４に示すように、前記Ｃ字状本体７６の外面８７の周方向中央部に補強肉厚部８９が設けられている。
【００４０】
前記第２のジョイント部７２は、本実施例においては図３〜４に示すように、前記左右の上向きのジョイント突片６０，６０間のジョイント溝部９０に挿入される、板状の下向きのジョイント突片９１として構成されており、前記底部７４で、その前後方向全幅に亘る幅を有して下方に突設されている。該下向きのジョイント突片９１の下側は円弧板部９２として形成されており、その左右面９３，９５の中央部位には、前記左右の枢着孔６２，６２と嵌合し得る円形軸状の枢着突部９６，９６が突設されている。又、該下向きのジョイント突片９１の前記円弧板部９２には、その前後方向に割り溝９７が設けられており、該割り溝９７を挟んだ左右の割片９９，９９の外面１００，１００の下端部分に、前記左右の垂直ガイド溝部（第１の係合部７０，７０）７１，７１に嵌まり合う、第２の係合部１０１，１０１としての係合突部１０２，１０２が突設されている。
【００４１】
然して、かかる構成を有する保持部材７を前記連結部材５に連結するに際しては、図５（Ａ）に示すように、前記枢着突部９６，９６を前後方向にし且つ前記係合突部１０２，１０２を前記傾斜ガイド溝部６７，６７に位置合わせして、前記下向きのジョイント突片９１の下端部分１０３を前記ジョイント溝部９０の上端部分に挿入する。その後、図５（Ｂ）に矢印で示すように、該下向きのジョイント突片９１を該ジョイント溝部９０内で下方向に押し込む。このようにして押し込むにつれ、前記枢着突部９６，９６が前記傾斜ガイド面６６，６６に案内されて下降すると共に、前記係合突部１０２，１０２が前記垂直ガイド面６９，６９に沿って下降する。
【００４２】
このように下降する際、前記上向きのジョイント突片６０，６０が図５（Ｂ）に矢印で示すように左右方向に弾性変形し、その後、図５（Ｃ）に示すように、左右の枢着突部９６，９６が前記左右の枢着孔６２，６２に嵌まり合う直前の状態となる。前記下向きのジョイント突片９１を更に下方向に押し込むと、両上向きのジョイント突片６０，６０の弾性復帰によって、図３に示すように、前記枢着突部９６，９６が、対応の前記枢着孔６２，６２に嵌まり合う。これと同時に、前記係合突部（第２の係合部１０１，１０１）１０２，１０２が、対応の垂直ガイド溝部（第１の係合部７０，７０）７１，７１に凹凸嵌合状態で嵌まり合う。
【００４３】
このように、前記第１の係合部７０と前記第２の係合部１０１とが凹凸嵌合状態で係合することにより、前記保持部材７は、図６（Ａ）に示すように、前記導入開口部７３が上方向に開放したロック状態とされる。そして、前記下向きのジョイント突片９１を前記枢着孔６２，６２の孔心回りで左右方向で傾動させるように一定以上の力を加えると、前記係合突部１０２が前記垂直ガイド溝部７１から外れて（前記第１の係合部７０と前記第２の係合部１０１との係合状態が解除されて）、図６（Ｂ）や図６（Ｃ）に示すように、該下向きのジョイント突片９１が垂直面内で傾動できる。即ち、前記保持部材７が前記枢着孔６２，６２の孔心回りで、左右方向Ｆ１で傾動できる。
【００４４】
次に、図１０〜１１に基づいて、前記連結部材５に前記支柱２の上部分３を連結する要領の一例を説明する。先ず、前記保持部材７側の部分を一方の手で握った状態で、他方の手で支柱２を握り、図１０に一点鎖線で示すように、該支柱２の上部分３を前記上下の保持片３９，４０間に前記横方向に挿通させる。その後、図１０に矢印Ｆ１で示すように、該支柱２を、その上端１０５が前記上の保持片３９側に近付く方向に回動させる。この回動は、該上部分３の上側部分１０６が前記上の保持片３９の下端縁１０７に支持された状態にして行うことができ、これにより図１０に示すように、該上部分３の下側部分１０９が前記開口部４７の上側開口部分（拡大する部分）５０に当接した状態となし得る。この状態で、前記支柱２を前記矢印Ｆ１方向に更に回動させると、図１０に二点鎖線で示し、又図１１に示すように、前記下端縁１０７を支点とする梃子作用によって、該上部分３の下側部分１０９を、前記開口部４７を弾性的に拡開させながら該開口部４７を通して、図１、図１２に示すように、前記筒状挾持部４６内に嵌め入れることができる。この状態で、前記上端キャップ２７は、図１２に示すように、前記基部６と前記上の保持片３９間の間隙４２に位置した状態となる。
【００４５】
このように、支柱２の上部分３の、前記他方の縁部３７側の部分４５が前記筒状挾持部４６に弾性的に挾持された状態（図１、図９、図１２）となると共に、該上部分３の、前記一方の縁部３６側の部分５１が図８、図１２に示すように、前記上の保持片３９によって支持された状態となること、又、図１３に示すように、前記基部６の下面側１１１が該支柱２の上端（本実施例においては、前記上端キャップ２７の上端）１０５に当接状態となって該支柱２が前記連結部材５に対して上方向に移動するのが阻止されることによって、該支柱２は、該連結部材５に安定状態に連結されることになる。これによって、前記機能性支柱４が構成される。特に本実施例においては、図１２に示すように、前記上端キャップ２７の下端１１２（図７（Ｃ））が前記上の保持片３９の上端１１３に当接することによって、該支柱２が前記連結部材５の下方に抜けるのも阻止される。
【００４６】
このように、支柱２の上部分３に、該支柱２の外径よりも大なる外径を有する上端キャップ２７が取り付けられていても、該上端キャップ２７（前記上部分３）を、前記基部６と前記上の保持片３９間の間隙４２に位置した状態となし得るため、該上部分３を前記連結部材５に無理なく取り付けることができる。又、支柱２の外径に一定範囲で大小があっても該支柱２の上部分３を、前記開口部４７を弾性的に拡開させながら該筒状挾持部４６内に嵌め入れることができる。このように本発明によるときは、特許文献１が開示する開閉式支柱におけるように、径が定まった挿入孔部に支柱の上部分を挿入するのとは異なり、ある程度の融通性を以て支柱２の上部分３を連結部材５に連結できる利点がある。
【００４７】
次に、前記構成を有する機能性キャップ具１を支柱２の上部分３に固定してなる機能性支柱４の複数本を用いて、家庭菜園で胡瓜等の蔓性植物を栽培するための支柱枠体１１６を構成する場合を説明する。図１４〜１５は、該機能性支柱４の３本を所要間隔（例えば９０ｃｍ程度の間隔）を置いて立設して胡瓜棚１１７を構成する場合を示すものである。  
【００４８】
先ず図１４、図１５（Ａ）に示すように、３本の機能性支柱４，４，４の前記支柱２，２，２を、前記保持溝１３，１３，１３の軸線を合致させると共に、これらの保持溝を同高さとして、下側の部分１１９を、地面（畝１２０の上面）１２１に２０〜３０ｃｍ程度押し込む。その後、図１５（Ａ）（Ｂ）（Ｃ）に示すように、該保持溝１３，１３，１３に、例えば１８０ｃｍの長さを有する前記横連結杆９の長さ方向の両端側の部分（所要部分）及び中央部分（所要部分）としての被保持部１０，１０，１０を嵌入させる。これにより、３本の支柱２，２，２が前記横連結杆９で連結された状態となり支柱枠体１１６が形成されることになる。
【００４９】
その後、図１４に示すように、３本の支柱２，２，２によって形成された垂直面部１２２をネット材５３で覆う。その際、該ネット材５３の上端縁部５５を、図１５（Ｂ）に示すように、前記フック状掛着片５６に引っ掛ける。又、該ネット材５３の下端部分１２３は、支柱２の下端側に、例えばバンドを用いて結着したり、パッカーで固定する。これにより、垂直ネット面からなる栽培面を有する前記胡瓜棚１１７を構成でき、畑の際等の狭いスペースを有効活用して胡瓜を栽培できることとなる。
【００５０】
図１６、図１７は、前記のように構成された機能性支柱４の６本を用いて構成された胡瓜棚１１７の他の態様を示すものであり、垂直ネット面１２５の上端に傾斜ネット面１２６が連設されている。かかる胡瓜棚１１７を構成する支柱枠体１１６は、高さの異なる前後の支柱列１２７，１２７が、９０ｃｍ程度の間隔を置いて前後対向状態で配設されている。
【００５１】
そして、前後隣り合う支柱２ａ，２ｂ相互が、傾斜した前後方向の前記横連結杆９ａで連結されており、又、左右方向に並ぶ同高さの支柱２ａ，２ａ，２ａ、２ｂ，２ｂ，２ｂは、左右方向の横連結杆９ｂで連結する。該左右方向の横連結杆９と支柱２との連結は、例えばバンドを用いて行うことができる。
【００５２】
胡瓜の栽培シーズンが終わった後は、前記ネット材５３を前記支柱枠体１１６から取り外すと共に前記前後方向の横連結杆９ａや前記左右方向の横連結杆９ｂを機能性支柱４から取り外し、支柱２を地面から引き抜く。その後、前記と逆の操作によって支柱２を前記連結部材５から取り外すことができ、取り外した支柱は他の用途に使用できる。
【実施例２】
【００５３】
本発明は、前記実施例で示したものに限定されるものでは決してなく、「特許請求の範囲」の記載内で種々の設計変更が可能であることはいうまでもない。その一例を挙げれば次のようである。
【００５４】
(1) 前記実施例においては、前記下方突出支持片３５の剛性を向上させるために、その上側部分８３（図２）の横断面が円弧状に構成されているが、該下方突出支持片３５の全体を平板状に構成してもよい。
【００５５】
(2) 前記実施例においては、図８〜９に示すように、下の保持片４０と前記下方突出支持片３５の下側部分４３とで、断面Ｃ字状の筒状挾持部４６が形成される如く構成されると共に、上の保持片３９は、支柱２の上部分３を支持する断面Ｕ字状に構成されている。これとは逆に、図１８に示すように、上の保持片３９と前記下方突出支持片３５の上側部分１２９とで、支柱２の上部分３の、前記一方の縁部３６（図２）側の部分５１を弾性的に挾持し得る断面Ｃ字状の筒状挾持部４６が形成される如く構成すると共に、下の保持片４０を、前記支柱２の上部分３の、前記他方の縁部３７側の部分４５を支持する断面Ｕ字状を呈するものとして構成することもできる。
【００５６】
(3) 本発明において、図２に示す上の保持片３９や図１８に示す下の保持片４０は、前記のような断面Ｕ字状に構成されることの他、前記支柱２の上部分３を弾性的に挾持し得る断面Ｃ字状の筒状挾持部４６を前記下方突出支持片３５とで形成するように構成されることもある。又、図２に示す上の保持片３９や図１８に示す下の保持片４０は、前記支柱２の上部分３を単に支持するものであればよく、平板状に構成されることもある。
【００５７】
(4) 図１９は、前記保持部材７を前後方向Ｆ２で傾動可能とした場合を示しており、前記第１のジョイント部５９を構成する上向きのジョイント突片６０，６０は、前記基部６の上面側５７の左右方向Ｆ１の両側において突設されている。
【００５８】
(5) 前記保持部材７は、前記実施例で示したように傾動可能に構成されることの他、傾動しない固定状態で前記基部６に設けられることもある。
【００５９】
(6) 前記支柱２が前記したような上端キャップ２７を具えない場合は、図２０に示すように、前記実施例で示した上の保持片３９、即ち、前記支柱２の上部分３の、前記一方の縁部３６側の部分５１（図８）を支持する上の保持片３９が、前記基部６と一体に設けられ、基部６と前記上の保持片３９との間の前記間隙４２が省略されることがある。該上の保持片３９は、前記と同様の筒状挾持部４６を形成するものであってもよい。
【００６０】
(7) 前記フック状掛着片５６は省略されることもある。
【００６１】
(8) 本発明に係る連結具１の左右の連結部材５，５には、図７に示す支柱２の他、図２０や図２１に示す支柱３を固定することもできる。図２０に示す支柱２は、外周面１９に、その長さ方向の全長に亘って、突部２３を不連続状態に連ねた不連続突部列２５が設けられている。このように不連続突部列２５が設けられていても、前記筒状挾持部４６の弾性拡開によって、該支柱の上部分３を図２０に示すように該筒状挾持部４６内に嵌め入れることができる。又、図２１に示す支柱２は、外周面１９に、その長さ方向に所要間隔で節部１２７が設けられていて、該節部１２７が支柱の上部分３にも存している。このように節部１２７が設けられていても、前記筒状挾持部４６の弾性拡開によって、該支柱の上部分３を該筒状挾持部４６内に嵌め入れることができる。
【００６２】
(9) 前記基部６は、前記した平板状を呈するものには限らない。
【００６３】
(10)図２２は、該基部６の、前記所要側部３２と対向する側部１２９に、前記支柱２の上端部分１３０を支持する受部１３２が設けられた場合を示している。このように構成するときは、前記基部６の下面側１１１に前記支柱２の上端１０５が当接した状態における支柱２の上端部分１３０の動きをより確実に阻止でき、該上端部分１３０の安定性向上を図ることができて好ましい。
【００６４】
(11)前記フック状掛着片５９は、前記筒状挾持部４６を構成する、下の保持片４０（図２）又は上の保持片３９（図１８）の外面に設けられることもある。
【００６５】
(12)前記実施例においては、前記フック状掛着片５６が上下の保持片３９，４０の外面に設けられている。前記フック状掛着片５６をこのように設けた場合は、例えば図１４〜１５に示すように、上端縁部５５を該フック状掛着片５６に掛着させることによってネット材５３を支柱２に取り付けた状態で、実の成る植物を栽培したとき、実の重量が大きい場合は、図２３に示すように該フック状掛着片５６に大きな荷重Ｆ２が下向きに加わるため、例えば図２３に示すように、フック状掛着片５６を支持する上の保持片３９の先側部分１２８が下向きに捩じれ状態に変形して上下の保持片３９，４０による支柱の上部分３の支持状態が不安定化する恐れがある。
【００６６】
そこで図２４〜２６、図２７〜２８、図２９においては、前記フック状掛着片５６を、これに下向きの荷重が加わったときにも前記上下の保持片３９，４０の変形を招かない部位に設けることとしている。図２４〜２６においては、前記下方突出支持片３５の外面１３３に設けている。そして、該フック状掛着片５６の上端部分１３５と該外面１３３との間に、前記ネット材５３の上端縁部５５を導入させるための導入口１３６（図２５）が設けられている。
【００６７】
このように構成する場合は、図２６に示すように、該上端縁部５５を該フック状掛着片５６に掛着させてネット材５３を支柱２に取り付け、実の成る植物を栽培したとき、実の重量が大であってフック状掛着片５６に大きな荷重が下向きに加わるときも、上下の保持片３９，４０を前記のように捩じれ変形させて該保持片３９，４０を開き傾向とすることがない。従って、上下の保持片３９，４０による支柱の上部分３の保持が不安定化する恐れがない。
【００６８】
図２７〜２８は、フック状掛着片５６を、前記下方突出支持片３５の前後の縁部３６，３７に設けた場合を示している。該フック状掛着片５６は、前後の縁部３６，３７の上下方向の任意部位に設けることができる。特に図２７に示すように、前記上の保持片３９が連設される縁部（前の縁部）３６に設ける場合は、該フック状掛着片５６が比較的大きく形成される場合であっても、図１１に示すように支柱２を回動させて支柱の上部分３を連結部材５に連結する際、該フック状掛着片５６が該連結の障害となる恐れがない。又、該フック状掛着片５６は、前記下方突出支持片３５の下端に設けることもできる。
【００６９】
図２９は、図２２に示す場合において、支柱２の上端部分１３７を支持する受部１３２の外面１３９にフック状掛着片５６を設けた場合を示している。
【００７０】
(13)本発明によって構成された機能性支柱を用いて支柱枠体を構成して植物を栽培する場合、該支柱枠体１１６にネット材５３を取り付けるときは、胡瓜やゴーヤ、豆類、葡萄、朝顔、クレマチス等の各種の蔓性植物を栽培する栽培面を形成できるが、該ネット材５３を取り付けないで、支柱２そのものでトマトやピーマン、ナス等を支持して栽培することもできる。
【符号の説明】
【００７１】
１  機能性キャップ具
２  支柱  
３  上部分
４  機能性支柱
５  連結部材
６  基部
７  保持部材
９  横連結杆
１０  被保持部
１１  枢軸
１３  保持溝
１５  Ｃ字状保持部
２７  上端キャップ
３５  下方突出支持片
３６  前の縁部
３７  後の縁部
３９  上の保持片
４０  下の保持片
４１  間隙
４２  間隙
４３  下方突出支持片の下側部分
４５  上部分の他方の縁部側の部分
４６  筒状挾持部
４７  開口部
４９  下側開口部分
５０  上側開口部分
５１  上部分の一方の縁部側の部分
５３  ネット材
５６  フック状掛着片
１１７  胡瓜棚
【図１】
0005261506.tif 000002
【図２】
0005261506.tif 000003
【図３】
0005261506.tif 000004
【図４】
0005261506.tif 000005
【図５】
0005261506.tif 000006
【図６】
0005261506.tif 000007
【図７】
0005261506.tif 000008
【図８】
0005261506.tif 000009
【図９】
0005261506.tif 000010
【図１０】
0005261506.tif 000011
【図１１】
0005261506.tif 000012
【図１２】
0005261506.tif 000013
【図１３】
0005261506.tif 000014
【図１４】
0005261506.tif 000015
【図１５】
0005261506.tif 000016
【図１６】
0005261506.tif 000017
【図１７】
0005261506.tif 000018
【図１８】
0005261506.tif 000019
【図１９】
0005261506.tif 000020
【図２０】
0005261506.tif 000021
【図２１】
0005261506.tif 000022
【図２２】
0005261506.tif 000023
【図２３】
0005261506.tif 000024
【図２４】
0005261506.tif 000025
【図２５】
0005261506.tif 000026
【図２６】
0005261506.tif 000027
【図２７】
0005261506.tif 000028
【図２８】
0005261506.tif 000029
【図２９】
0005261506.tif 000030
【図３０】
0005261506.tif 000031
【図３１】
0005261506.tif 000032
【図３２】
0005261506.tif 000033
【図３３】
0005261506.tif 000034